(57)【要約】【課題】簡素な構成により、収容空間内を仕切る複数の仕切部材を媒体の取込及び放出に適した位置にそれぞれ移動させ得るようにする。【解決手段】接客部１１２は、連動部１３８において第２ビルプレス３７及びステージ３６の間にスプリング１７３を挟み、フレーム１７１により両者の間隔を連動最大長Ｊ２とする範囲内でそれぞれを前後方向へ移動させるようにし、後規制体１７７及び第１ビルプレス３５によっても第２ビルプレス３７及びステージ３６の移動範囲をそれぞれ規制した。これにより接客部１１２は、第１ビルプレス駆動部４６及びフレーム駆動部１５１といった２組の駆動機構により第１ビルプレス３５及び連動部１３８のフレーム１７１を直接駆動するだけで、プールガイド３４、ステージ３６及び第２ビルプレス３７を含めた４個の仕切部材を適切な位置に移動させ、入金取引及び出金取引において必要な種々の状態に遷移させることができる。【選択図】図１０
2015087793.tif 000002
【特許請求の範囲】
【請求項１】
媒体を収容する収容空間を仕切り、当該媒体と当接する第１当接面を有し、当該第１当接面と交差する交差方向に移動可能な第１仕切部材と、
前記収容空間を仕切り、前記第１当接面と対向する第２当接面を有し、交差方向に移動可能な第２仕切部材と、
前記第１仕切部材及び前記第２仕切部材に対し、交差方向に関し互いに引き離す方向に付勢する付勢部と、
交差方向に移動可能であり、交差方向に関する前記第１仕切部材及び前記第２仕切部材の最大間隔を規制する間隔規制部と、
交差方向に関し、前記第１仕切部材又は前記第２仕切部材の少なくとも一方の移動範囲を規制する移動範囲規制部と、
前記間隔規制部を交差方向に駆動する駆動部と
を具えることを特徴とする媒体移動装置。
【請求項２】
前記移動範囲規制部は、前記間隔規制部から独立して交差方向に移動可能である
ことを特徴とする請求項１に記載の媒体移動装置。
【請求項３】
前記移動範囲規制部は、前記第１当接面又は前記第２当接面の少なくとも一方を前記収容空間内に止めるよう、前記第１仕切部材又は前記第２仕切部材の少なくとも一方の移動範囲を規制する
ことを特徴とする請求項１に記載の媒体移動装置。
【請求項４】
前記移動範囲規制部は、
交差方向のうち前記第１仕切部材側である第１交差方向に関し、前記第１仕切部材の移動範囲を規制する第１移動範囲規制体と、
交差方向のうち前記第２仕切部材側である第２交差方向に関し、前記第２仕切部材の移動範囲を規制する第２移動範囲規制体と
を具えることを特徴とする請求項１に記載の媒体移動装置。
【請求項５】
前記収容空間へ前記媒体を放出する放出部
をさらに有し、
前記第１移動範囲規制体は、前記第１仕切部材を最も第１交差方向側へ移動させた場合に、前記第１当接面及び前記第２当接面により挟まれる部分収容空間内へ前記放出部から前記媒体を放出させるよう、当該第１仕切部材の移動範囲を規制する
ことを特徴とする請求項４に記載の媒体移動装置。
【請求項６】
前記収容空間内に収容されている前記媒体を取り込む取込部
をさらに有し、
前記第２移動範囲規制体は、前記第２仕切部材を最も第２交差方向側へ移動させた場合に、前記第１当接面及び前記第２当接面により挟まれる部分収容空間内に収容されている前記媒体を前記取込部により取り込ませるよう、当該第２仕切部材の移動範囲を規制する
ことを特徴とする請求項４に記載の媒体移動装置。
【請求項７】
媒体を収容する収容空間を仕切り、当該媒体と当接する第１当接面を有し、当該第１当接面と交差する交差方向に移動可能な第１仕切部材と、
前記収容空間を仕切り、前記第１当接面と対向する第２当接面を有し、交差方向に移動可能な第２仕切部材と、
前記第１仕切部材及び前記第２仕切部材に対し、交差方向に関し互いに引き離す方向に付勢する付勢部と、
交差方向に移動可能であり、交差方向に関する前記第１仕切部材及び前記第２仕切部材の最大間隔を規制する間隔規制部と、
交差方向に関し、前記第１仕切部材又は前記第２仕切部材の少なくとも一方の移動範囲を規制する移動範囲規制部と、
前記間隔規制部を交差方向に駆動する駆動部と、
前記駆動部を制御する制御部と
を具えることを特徴とする媒体取引装置。
【請求項８】
前記収容空間に対し交差方向のうち前記第１仕切部材側である第１交差方向側に配置され、前記収容空間へ前記媒体を放出する放出部
をさらに有し、
前記移動範囲規制部は、前記第１仕切部材を第１交差方向側の移動限界まで移動させた場合に、前記第１当接面及び前記第２当接面により挟まれる部分収容空間内へ前記放出部から前記媒体を放出させるよう、当該第１仕切部材の移動範囲を規制し、
前記制御部は、前記部分収容空間内への前記媒体の放出数に応じて前記第２仕切部材を前記第１仕切部材から引き離して前記部分収容空間を交差方向に広げるよう、前記駆動部を制御する
ことを特徴とする請求項７に記載の媒体取引装置。
【請求項９】
前記収容空間に対し交差方向のうち前記第２仕切部材側である第２交差方向側に配置され、前記収容空間内にある前記媒体を取り込む取込部と、
前記収容空間内で前記第２仕切部材の第２交差方向側に配置され交差方向に移動する第３仕切部材と、
前記第３仕切部材を交差方向に移動させる第２駆動部と、
前記第３仕切部材との間に収容した前記媒体を前記取込部により取り込ませる第４仕切部材と、
前記取込部により取り込まれた前記媒体を搬送する搬送部と、
前記取込部により取り込まれた前記媒体が取引すべきであるか否かを認識する認識部と
をさらに具え、
前記移動範囲規制部は、
前記第１仕切部材を第１交差方向側の移動限界まで移動させた場合に、前記第１当接面及び前記第２当接面により挟まれる部分収容空間内へ前記放出部から前記媒体を放出させるよう、当該第１仕切部材の移動範囲を規制する第１移動範囲規制体と、
前記第２仕切部材を第２交差方向側の移動限界まで移動させた場合に、前記第１当接面及び前記第２当接面により挟まれる部分収容空間内に収容されている前記媒体を前記取込部により取り込ませるよう、当該第２仕切部材の移動範囲を規制する第２移動範囲規制体と
を有し、
前記制御部は、
前記第２駆動部を制御することにより前記第３仕切部材及び前記第２移動範囲規制体の間に前記媒体を収容させて前記取込部により前記媒体を取り込ませ、取り込まれた当該媒体を前記搬送部により搬送して前記認識部により認識させ、取引すべきで無いと認識された場合に当該媒体を前記放出部から前記部分収容空間内へ放出させる
ことを特徴とする請求項８に記載の媒体取引装置。
【発明の詳細な説明】
【技術分野】
【０００１】
本発明は媒体移動装置及び媒体取引装置に関し、例えば紙幣のような紙葉状の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う接客部と、紙幣を搬送する搬送部と、投入された紙幣の金種及び真偽を認識する認識部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が接客部に紙幣を投入すると、投入された紙幣を１枚ずつに分離して搬送部により搬送し、認識部で認識し、正常紙幣と認識された紙幣を一時保留部へ収納する一方、取引すべきでないと認識された紙幣（以下これを入金リジェクト紙幣と呼ぶ）を接客部へ戻して顧客に返却する。
【０００５】
続いて現金自動預払機は、顧客により入金金額が確定されると、一時保留部に収納している紙幣を繰り出してその金種を認識部により再認識し、認識された金種に応じて各紙幣カセットに収納すると共に、損傷の程度が大きいと認識された紙幣をリジェクトカセットに収納する。
【０００６】
また現金自動預払機は、出金処理において、顧客の操作指示により出金すべき金額が確定すると、紙幣カセットから出金すべき金額に応じた紙幣を繰り出して搬送部により搬送し、認識部により正常な紙幣が過不足なく繰り出されたことを認識した後、接客部へ搬送して顧客に取り出させる。
【０００７】
さらに現金自動預払機は、返却した紙幣や出金した紙幣等を顧客が接客部から取り出し忘れた場合、この紙幣を入金された紙幣と同様に取り込み、内部の所定箇所に保管する。
【０００８】
このような現金自動預払機の接客部としては、上述した各種動作を行うべく、紙幣を収容すべき収容空間内に、当該収容空間を仕切る４個の仕切部材を設けたものが提案されている（例えば、特許文献１参照）。
【０００９】
例えば図２０に示す接客部３１２において、収容空間ＳＣ内には、前方から順にプールガイド３４、第１ビルプレス３５、ステージ３６及び第２ビルプレス３７がそれぞれ前後方向に移動可能に設けられている。
【００１０】
また接客部３１２には、収容空間ＳＣの下方前寄りに、紙幣を１枚ずつに分離して取り込む取込部３９が設けられると共に、収容空間ＳＣの下方後寄りに、紙幣を当該収容空間ＳＣ内に１枚ずつ放出する放出部４０が設けられている。さらに接客部３１２の上方には、前後方向へ移動することにより収容空間ＳＣを開閉するシャッタ３２も設けられている。
【００１１】
接客部３１２は、入金時、シャッタ３２を開放すると共に、プールガイド３４を取込部３９よりも後方まで移動させて当該取込部３９を露出させないようにし、また第１ビルプレス３５、ステージ３６及び第２ビルプレス３７を放出部４０の前方において互いに重なるように位置させ、当該放出部４０を露出させないようにする。
【００１２】
この状態で接客部３１２は、プールガイド３４及び第１ビルプレス３５の間を比較的大きく広げて、紙幣をその間の空間（以下これを第１収容空間と呼ぶ）に投入させる。
【００１３】
その後接客部３１２は、シャッタ３２を閉塞し、プールガイド３４を取込部３９よりも前方まで移動させると共に第１ビルプレス３５をプールガイド３４に押し付け、投入された紙幣を取込部３９により１枚ずつに分離しながら取り込む。
【００１４】
このとき接客部３１２は、ステージ３６及び第２ビルプレス３７をそれぞれ放出部４０の前後に位置させ、当該ステージ３６及び当該第２ビルプレス３７の間に比較的狭い空間（以下これを第２収容空間と呼ぶ）を形成して、入金リジェクト紙幣を当該放出部４０から第２空間内へ放出する。
【００１５】
その後接客部３１２は、シャッタ３２を開放して入金リジェクト紙幣を顧客に返却する。ここで当該入金リジェクト紙幣が顧客により取り出されなかった場合、接客部３１２は、再びシャッタ３２を閉塞し、ステージ３６及び第１ビルプレス３５を最前方まで移動させてプールガイド３４に密接させると共に、第２ビルプレスにより入金リジェクト紙幣をステージに押し付けながら、取込部３９により１枚ずつに分離して取り込む。
【００１６】
また接客部３１２は、出金時には、入金リジェクト紙幣と同様の動作により、紙幣を第２空間内へ放出し、顧客が取り忘れた場合には同様に当該紙幣を取り込む。
【００１７】
このように接客部３１２は、プールガイド３４、第１ビルプレス３５、ステージ３６及び第２ビルプレス３７といった４種類の移動体をそれぞれ独立に前後方向へ移動させるようになっている。
【先行技術文献】
【特許文献】
【００１８】
【特許文献１】特開２００９−９８８３５号公報（図３〜図１１等）
【発明の概要】
【発明が解決しようとする課題】
【００１９】
しかしながら、かかる構成の接客部３１２では、４種類の移動体をそれぞれ独立に移動させるべく、４個のアクチュエータが必要となるため、その構成が複雑なものとなり、製造コストも増加してしまうという問題があった。
【００２０】
本発明は以上の点を考慮してなされたもので、簡素な構成により、収容空間内を仕切る複数の仕切部材を媒体の取込及び放出に適した位置にそれぞれ移動させ得る媒体移動装置及び媒体取引装置を提案しようとするものである。
【課題を解決するための手段】
【００２１】
かかる課題を解決するため本発明の媒体移動装置においては、媒体を収容する収容空間を仕切り、当該媒体と当接する第１当接面を有し、当該第１当接面と交差する交差方向に移動可能な第１仕切部材と、収容空間を仕切り、第１当接面と対向する第２当接面を有し、交差方向に移動可能な第２仕切部材と、第１仕切部材及び第２仕切部材に対し、交差方向に関し互いに引き離す方向に付勢する付勢部と、交差方向に移動可能であり、交差方向に関する第１仕切部材及び第２仕切部材の最大間隔を規制する間隔規制部と、交差方向に関し、第１仕切部材又は第２仕切部材の少なくとも一方の移動範囲を規制する移動範囲規制部と、間隔規制部を交差方向に駆動する駆動部とを設けるようにした。
【００２２】
本発明の媒体移動装置は、間隔規制部により規制される最大間隔の範囲内で付勢部により第１仕切部材の第１当接面と第２仕切部材の第２当接面との間隔を広げているため、一の駆動部により間隔規制部を交差方向へ移動させるだけで、両者を交差方向へ移動させることができ、また移動規制部によりその一方の移動範囲を規制することで両者の間隔を狭めることもできる。
【００２３】
また本発明の媒体取引装置においては、媒体を収容する収容空間を仕切り、当該媒体と当接する第１当接面を有し、当該第１当接面と交差する交差方向に移動可能な第１仕切部材と、収容空間を仕切り、第１当接面と対向する第２当接面を有し、交差方向に移動可能な第２仕切部材と、第１仕切部材及び第２仕切部材に対し、交差方向に関し互いに引き離す方向に付勢する付勢部と、交差方向に移動可能であり、交差方向に関する第１仕切部材及び第２仕切部材の最大間隔を規制する間隔規制部と、交差方向に関し、第１仕切部材又は第２仕切部材の少なくとも一方の移動範囲を規制する移動範囲規制部と、間隔規制部を交差方向に駆動する駆動部と、駆動部を制御する制御部とを設けるようにした。
【００２４】
本発明の媒体移動装置は、間隔規制部により規制される最大間隔の範囲内で付勢部により第１仕切部材の第１当接面と第２仕切部材の第２当接面との間隔を広げているため、制御部の制御に基づき一の駆動部により間隔規制部を交差方向へ移動させるだけで、両者を交差方向へ移動させることができ、また移動規制部によりその一方の移動範囲を規制することで両者の間隔を狭めることもできる。
【発明の効果】
【００２５】
本発明によれば、媒体移動装置において、一の駆動部により間隔規制部を交差方向へ移動させるだけで、第１仕切部材及び第２仕切部材を交差方向へ移動させることができ、また移動規制部によりその一方の移動範囲を規制することで両者の間隔を狭めることもできる。また本発明によれば、媒体取引装置において、制御部の制御に基づき一の駆動部により間隔規制部を交差方向へ移動させるだけで、第１仕切部材及び第２仕切部材を交差方向へ移動させることができ、また移動規制部によりその一方の移動範囲を規制することで両者の間隔を狭めることもできる。かくして本発明は、簡素な構成により、収容空間内を仕切る複数の仕切部材を媒体の取込及び放出に適した位置にそれぞれ移動させ得る媒体移動装置及び媒体取引装置を実現できる。
【図面の簡単な説明】
【００２６】
【図１】現金自動預払機の構成を示す略線的斜視図である。
【図２】紙幣入出金機の構成を示す略線図である。
【図３】接客部の構成を示す略線的斜視図である。
【図４】第１の実施の形態による接客部の構成を示す略線図である。
【図５】第１の実施の形態による連動部の構成を示す略線的斜視図である。
【図６】第１の実施の形態における開放状態を示す略線図である。
【図７】第１の実施の形態における取込状態を示す略線図である。
【図８】第１の実施の形態における取忘取込状態を示す略線図である。
【図９】第１の実施の形態における放出状態を示す略線図である。
【図１０】第２の実施の形態による接客部の構成を示す略線図である。
【図１１】第２の実施の形態による連動部の構成を示す略線的斜視図である。
【図１２】第２の実施の形態における連動部による第２ビルプレス及びステージの移動を示す略線図である。
【図１３】第２の実施の形態における開放状態を示す略線図である。
【図１４】第２の実施の形態における取込状態を示す略線図である。
【図１５】第２の実施の形態における取忘取込状態を示す略線図である。
【図１６】第２の実施の形態における放出状態を示す略線図である。
【図１７】第２の実施の形態における出金開放状態を示す略線図である。
【図１８】他の実施の形態による接客部の構成を示す略線図である。
【図１９】他の実施の形態による接客部における状態の遷移を示す略線図である。
【図２０】従来の接客部の構成を示す略線図である。
【発明を実施するための形態】
【００２７】
以下、発明を実施するための形態（以下実施の形態とする）について、図面を用いて説明する。
【００２８】
［１．第１の実施の形態］
［１−１．現金自動預払機の構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２９】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に顧客応対部３が設けられている。
【００３０】
顧客応対部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００３１】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣ＢＬが排出される部分である。また入出金口５は、シャッタを駆動することにより開放又は閉塞するようになされている。因みに紙幣は、例えば長方形の紙で構成されている。
【００３２】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００３３】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３４】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになっている。また主制御部９は、内部にＲＡＭ（Random Access Memory）、ハードディスクドライブやフラッシュメモリ等でなる記憶部を有しており、この記憶部に種々の情報を記憶させるようになっている。
【００３５】
紙幣入出金機１０は、図２に側面図を示すように、内部に紙幣ＢＬに関する種々の処理を行う複数の部分が組み込まれている。また紙幣入出金機１０の各部分は、紙幣制御部１１により制御される。
【００３６】
紙幣制御部１１は、主制御部９と同様、図示しないＣＰＵを中心に構成されており、図示しないＲＯＭやフラッシュメモリ等から所定のプログラムを読み出して実行することにより、各部の動作を制御すると共に入金取引や出金取引等の種々の処理を行うようになっている。また紙幣制御部１１は、内部にＲＡＭ及びフラッシュメモリ等でなる記憶部を有しており、この記憶部に種々の情報を記憶させるようになっている。
【００３７】
紙幣制御部１１は、例えば顧客が紙幣ＢＬを入金する入金取引を行う場合、操作表示部６（図１）を介して所定の操作入力を受け付けた後、シャッタを開いて接客部１２内に形成された収容空間ＳＣへ紙幣ＢＬを投入させる。接客部１２は、所定のセンサにより収容空間ＳＣ内に紙幣ＢＬが１枚以上収容されているか否か、及び収容空間ＳＣ内に収容可能な最大量の紙幣ＢＬが収納されているか否かを検知し、その検知結果を紙幣制御部１１へ通知する。
【００３８】
この接客部１２は、収容空間ＳＣに紙幣ＢＬが投入されると、シャッタを閉じて当該収容空間ＳＣ内から紙幣ＢＬを１枚ずつ繰り出し、搬送部１３へ受け渡す。搬送部１３は、複数のローラやベルト等により構成されており、長方形の紙葉状に構成された紙幣ＢＬを短辺方向に沿って進行させ、認識部１４へ搬送する。
【００３９】
認識部１４は、その内部で紙幣ＢＬを搬送しながら、光学素子や磁気検出素子等を用いて当該紙幣ＢＬの金種及び真偽、並びに損傷の程度等を認識し、その認識結果を紙幣制御部１１へ通知する。これに応じて紙幣制御部１１は、取得した認識結果に基づいて当該紙幣ＢＬの搬送先を決定する。
【００４０】
このとき搬送部１３は、認識部１４において正常と認識された紙幣ＢＬを一時保留部１５へ搬送する等して一時的に保留させる一方、取引すべきでないと認識された紙幣ＢＬ（以下これを入金リジェクト紙幣ＢＬＲと呼ぶ）を接客部１２へ搬送して顧客に返却する。その後紙幣制御部１１は、投入された紙幣ＢＬの合計金額を集計して操作表示部６に表示すると共に、入金取引を継続するか否かを顧客に選択させる。
【００４１】
ここで紙幣制御部１１は、顧客により入金取引の中止が指示された場合、一時保留部１５に保留している全ての紙幣ＢＬを搬送部１３により接客部１２へ搬送して顧客に返却する。また紙幣制御部１１は、顧客により入金取引の継続が指示された場合、一時保留部１５に保留している全ての紙幣ＢＬを搬送部１３により認識部１４へ搬送してその金種及び損傷の程度等を認識させ、その認識結果を取得する。
【００４２】
そして紙幣制御部１１は、紙幣ＢＬの損傷の程度が大きければ、これを再利用すべきでない紙幣ＢＬとして搬送部１３によりリジェクトカセット１６へ搬送して収納させ、損傷の程度が小さければ、これを再利用すべき紙幣ＢＬとして搬送部１３により搬送させ、その金種に応じた紙幣カセット１７に収納させる。
【００４３】
また紙幣制御部１１は、例えば顧客が紙幣ＢＬを出金する出金取引を行う場合、操作表示部６（図１）を介して所定の操作入力を受け付けた後、出金すべき金額に応じた紙幣ＢＬを紙幣カセット１７から繰り出させ、搬送部１３により認識部１４へ搬送させる。続いて紙幣制御部１１は、この紙幣ＢＬを認識部１４により認識させた上で、搬送部１３により接客部１２へ搬送して収容空間ＳＣ内に集積させ、入出金口５（図１）のシャッタを開いて顧客に取り出させる。
【００４４】
このように接客部１２は、入金取引において、顧客に紙幣ＢＬを投入させた後、１枚ずつに分離して内部に取り込むと共に入金リジェクト紙幣ＢＬＲを顧客に返却し、また出金取引において、紙幣ＢＬを収容空間ＳＣ内に放出して集積し、顧客に取り出させるようになっている。
【００４５】
［１−２．接客部の構成］
次に、接客部１２の構成について説明する。接客部１２は、図３（Ａ）及び（Ｂ）に斜視図を示すと共に図４（Ａ）及び（Ｂ）に模式的な側面図を示すように、筐体３０内に紙幣ＢＬを収容する収容空間ＳＣを形成しており、この収容空間ＳＣ内に紙幣ＢＬを収容するようになっている。
【００４６】
因みに図３（Ａ）は接客部１２を前方左斜め上から見下ろした様子を表しており、図３（Ｂ）は接客部１２を後方左斜め上から見下ろした様子を表している。また図４（Ａ）及び（Ｂ）は、いずれも接客部１２の左側面図であるが、説明の都合上、それぞれ一部の部材を省略し、また簡略化して表している。
【００４７】
収容空間ＳＣは、紙幣ＢＬの紙面を前後方向に向けると共に、その長手方向を左右方向に向けた状態、すなわち短手方向を概ね上下方向に向けた状態で、複数の当該紙幣ＢＬを前後方向に集積した状態で収容する。
【００４８】
筐体３０は、概ね直方体状に形成されており、その上面が大きく開放されると共に、上面板３１が取り付けられている。上面板３１は、中央に大きな貫通孔３１Ｈが穿設されている。
【００４９】
貫通孔３１Ｈにおける左右方向の長さは、紙幣ＢＬにおける長辺の長さよりも長くなっている。また貫通孔３１Ｈにおける前後方向の長さは、所定枚数（例えば２００枚）の紙幣ＢＬを指先で挟んだときの指先を含む前後長よりも十分に長くなっている。
【００５０】
これにより上面板３１は、顧客が複数枚の紙幣ＢＬを重ねた状態で指先により挟持し、当該紙幣ＢＬの長辺方向を左右に向けると共に紙面を前後に向けた状態で貫通孔３１Ｈを通過させながら、当該紙幣ＢＬを収容空間ＳＣ内に投入させ、或いは当該紙幣ＢＬを収容空間ＳＣ内から取り出させるようになっている。
【００５１】
また上面板３１には、貫通孔３１Ｈよりも一回り大きい板状のシャッタ３２が設けられている。シャッタ３２は、図示しないシャッタ駆動部により前後方向に移動し得るようになされており、前方に移動することにより図４（Ａ）に示したように収容空間ＳＣを閉塞する一方、後方へ移動することにより図３（Ａ）及び（Ｂ）に示したように収容空間ＳＣを外部に露出させる。
【００５２】
収容空間ＳＣの底部には、フロアガイド３３が設けられている。フロアガイド３３は、その上面が概ね平坦に形成されると共に、比較的大きな貫通孔が複数形成されている。このためフロアガイド３３は、紙幣ＢＬを収容空間ＳＣ内に止めたまま、例えば硬貨やクリップ等のような紙幣以外の異物を貫通孔から下方へ落下させることができる。因みに、ここでフロアガイド３３から落下した異物は、図示しない異物排出機構により外部へ排出される。
【００５３】
収容空間ＳＣ内には、当該収容空間ＳＣを前後方向に仕切る４個の仕切部材として、前方から順に、プールガイド３４、第１ビルプレス３５、ステージ３６及び第２ビルプレス３７が設けられている。
【００５４】
説明の都合上、以下では、収容空間ＳＣのうちプールガイド３４の後面３４Ｒ及び第１ビルプレス３５の前面３５Ｆに挟まれた空間を第１収容空間ＳＣ１と呼び、ステージ３６の後面３６Ｒ及び第２ビルプレス３７の前面３７Ｆに挟まれた空間を第２収容空間ＳＣ２と呼ぶ。
【００５５】
プールガイド３４は、その後面３４Ｒにおける下端から中央部分にかけて略平坦に形成されると共に、上端近傍が前方へ湾曲されている。またプールガイド３４には、後述するピッカローラ６１を露出させるための孔部３４Ｈ（図３）が左右に１箇所ずつ形成されている。
【００５６】
このプールガイド３４は、紙幣制御部１１（図１、図２）の制御に基づき、図４（Ｂ）に示すプールガイド駆動部４１により前後方向へ駆動される。プールガイド駆動部４１は、収容空間ＳＣの左右にそれぞれ設けられている。プールガイド駆動部４１は、駆動プーリ４２、従動プーリ４３、ベルト４４及び固定部４５により構成されている。
【００５７】
駆動プーリ４２は、収容空間ＳＣの前方に配置されており、回転軸を左右方向に向けた円板状に形成されている。また駆動プーリ４２は、図示しないアクチュエータからの駆動力が伝達されることにより、図４（Ｂ）における時計方向又は反時計方向に回転する。
【００５８】
従動プーリ４３は、収容空間ＳＣの後方に配置されており、駆動プーリ４２と同様、回転軸を左右方向に向けた円板状に形成されている。この駆動プーリ４２は、図示しない軸受を介して、筐体３０に対し図４（Ｂ）における時計方向又は反時計方向に自在に回転し得るように取り付けられている。
【００５９】
ベルト４４は、柔軟性を有する材料でなり、円環状に形成されている。このベルト４４は、駆動プーリ４２及び従動プーリ４３の周囲に掛け回されており、駆動プーリ４２が回転されると、従動プーリ４３を回転させながら走行することができる。
【００６０】
固定部４５は、ベルト４４に対し固定されると共に、プールガイド３４における左右の側部に対しても固定されている。このため固定部４５は、ベルト４４の走行に伴ってプールガイド３４を前後方向へ移動させることができる。
【００６１】
このようにプールガイド３４は、紙幣制御部１１（図１、図２）の制御に基づき、プールガイド駆動部４１により前後方向へ移動することができる。
【００６２】
第１ビルプレス３５は、前後方向に薄い板状に形成されており、少なくともその前面３５Ｆが平坦に形成されている。また第１ビルプレス３５は、プールガイド３４と同様に、後述するピッカローラ６１を露出させるための孔部３５Ｈ（図３）が左右に１箇所ずつ形成されている。
【００６３】
この第１ビルプレス３５は、紙幣制御部１１（図１、図２）の制御に基づき、第１ビルプレス駆動部４６（図４（Ｂ））により前後方向へ駆動される。
【００６４】
第１ビルプレス駆動部４６は、プールガイド駆動部４１と同様、収容空間ＳＣの左右にそれぞれ設けられており、駆動プーリ４２、従動プーリ４３、ベルト４４及び固定部４５とそれぞれ同様に構成された駆動プーリ４７、従動プーリ４８、ベルト４９及び固定部５０により構成されている。因みに固定部５０は、ベルト４９及び第１ビルプレス３５にそれぞれ固定されている。
【００６５】
駆動プーリ４７は、駆動プーリ４２から独立して駆動される。このため第１ビルプレス３５は、プールガイド３４とは独立して前後方向へ移動することができる。
【００６６】
かかる構成により接客部１２では、プールガイド３４の後面３４Ｒと第１ビルプレス３５の前面３５Ｆとの間隔、すなわち第１収容空間ＳＣ１（図４（Ａ））における前後方向の長さ（以下これを第１空間長ＳＬ１と呼ぶ）を、比較的長い距離から「０」までの広い範囲で変化させることができる。これを換言すれば、第１収容空間ＳＣ１には、比較的多くの枚数の紙幣ＢＬを収容することができる。
【００６７】
第２ビルプレス３７は、概ねプールガイド３４と前後対称に構成されている。すなわち第２ビルプレス３７は、その前面３７Ｆにおける下端から中央部分にかけて略平坦に形成されると共に、上端近傍が後方へ湾曲されている。ただし第２ビルプレス３７は、孔部３４Ｈに相当する孔部は形成されていない。
【００６８】
この第２ビルプレス３７は、紙幣制御部１１（図１、図２）の制御に基づき、第２ビルプレス駆動部５１（図４（Ｂ））により前後方向へ駆動される。
【００６９】
第２ビルプレス駆動部５１は、プールガイド駆動部４１及び第１ビルプレス駆動部４６と同様、収容空間ＳＣの左右にそれぞれ設けられており、駆動プーリ４２、従動プーリ４３、ベルト４４及び固定部４５とそれぞれ同様に構成された駆動プーリ５２、従動プーリ５３、ベルト５４及び固定部５５により構成されている。因みに固定部５５は、ベルト５４及び第２ビルプレス３７にそれぞれ固定されている。
【００７０】
駆動プーリ５２は、駆動プーリ４２及び駆動プーリ４７のいずれからも独立して駆動される。このため第２ビルプレス３７は、プールガイド３４及び第１ビルプレス３５のいずれからも独立して前後方向へ移動することができる。
【００７１】
ステージ３６は、第１ビルプレス３５と同様、前後方向に薄い板状に形成されており、少なくともその後面３６Ｒが平坦に形成されている。またステージ３６は、プールガイド３４及び第１ビルプレス３５と同様に、後述するピッカローラ６１を露出させるための孔部３６Ｈ（図３）が左右に１箇所ずつ形成されている。
【００７２】
このステージ３６は、左右の連動部３８を介して第２ビルプレス３７に取り付けられている。連動部３８は、図５（Ａ）に斜視図を示すように、第２ビルプレス支持部３７Ｔ、シャフト５６、スプリング５７、ステージ支持部３６Ｔ及びストッパ５８により構成されている。
【００７３】
第２ビルプレス支持部３７Ｔは、前後に薄い小さな板状に形成されており、第２ビルプレス３７における左右の側方から、左右の外方へ突出するように立設されている。また第２ビルプレス支持部３７Ｔの前面は、第２ビルプレス３７の前面３７Ｆよりも後方に位置している。
【００７４】
第２ビルプレス支持部３７Ｔの前面における略中央には、後方へ向けてシャフト５６が立設されている。シャフト５６は、細長い円柱状に形成されており、その中心軸を前後方向に向けている。シャフト５６の周囲には、コイルスプリングでなるスプリング５７が挿通されている。
【００７５】
スプリング５７は、その内径がシャフト５６の外径よりも僅かに大きく、且つその外径が第２ビルプレス支持部３７Ｔにおける各辺の長さよりも十分に小さくなっている。さらにスプリング５７の自然長は、シャフト５６の前後長よりも長くなっている。
【００７６】
ステージ支持部３６Ｔは、第２ビルプレス支持部３７Ｔと同様、前後に薄い小さな板状に形成されており、ステージ３６における左右の側方から、左右の外方へ突出するように立設されている。
【００７７】
このステージ支持部３６Ｔの略中央には、丸孔でなり前後方向に貫通する挿通孔３６ＴＨが穿設されている。この挿通孔３６ＴＨの直径（内径）は、シャフト５６の外径よりも僅かに大きく、且つスプリング５７の外径よりも小さくなっている。
【００７８】
ストッパ５８は、板面を前後方向に向けた薄い円板状に形成されている。このストッパ５８の外径は、ステージ支持部３６Ｔにおける挿通孔３６ＴＨの内径よりも十分に大きくなっている。ストッパ５８は、シャフト５６にスプリング５７及びステージ支持部３６Ｔの挿通孔３６ＴＨが順次挿通された状態で、当該シャフト５６の前端に取り付けられる。
【００７９】
かかる構成により、連動部３８は、ステージ３６に外力が加えられない場合、図５（Ａ）に示したように、スプリング５７の作用により第２ビルプレス３７に対しステージ３６を前方へ引き離す方向へ移動させ、ステージ支持部３６Ｔをストッパ５８に当接させた状態で静止する。
【００８０】
このとき、ステージ３６の後面３６Ｒと第２ビルプレス３７の前面３７Ｆとの間隔、すなわち第２収容空間ＳＣ２（図４（Ａ））における前後方向の長さ（以下これを第２空間長ＳＬ２と呼ぶ）を、シャフト５６の前後長に基づいた所定の連動最大長Ｊ１（詳しくは後述する）としている。
【００８１】
また連動部３８は、ステージ３６に対し後方へ向かう外力が加えられた場合、ステージ支持部３６Ｔの挿通孔３６ＴＨをシャフト５６に摺動させながら、且つスプリング５７を圧縮しながら、当該ステージ３６を後方へ移動させていく。その後連動部３８は、図５（Ｂ）に示すように、最終的にステージ３６の後面３６Ｒを第２ビルプレス３７の前面３７Ｆに当接させた状態となる。このとき第２空間長ＳＬ２（図４（Ｂ））は「０」となる。
【００８２】
このようにステージ３６は、外力が加えられない場合には第２空間長ＳＬ２を連動最大長Ｊ１に保ちながら、また外力が加えられた場合には第２空間長ＳＬ２を当該連動最大長Ｊ１よりも縮めながら、第２ビルプレス３７と連動するようになっている。
【００８３】
ところで、収容空間ＳＣ（図４）の下方におけるフロアガイド３３の前後には、当該収容空間ＳＣ内の紙幣ＢＬを１枚ずつに分離しながら取り込んで搬送部１３（図２）に受け渡す取込部３９と、当該搬送部１３から搬送されてきた紙幣ＢＬを当該収容空間ＳＣ内へ放出する放出部４０とがそれぞれ設けられている。
【００８４】
取込部３９は、収容空間ＳＣの下方前寄りに設けられており、ピッカローラ６１、フィードローラ６２、ゲートローラ６３及び搬送ガイド６４により構成されている。
【００８５】
ピッカローラ６１は、中心軸を左右方向に向けた扁平な円柱状に形成されており、その周側面における一部分に紙幣ＢＬに対する摩擦係数が大きい高摩擦部材が取り付けられる一方、他の部分における紙幣ＢＬに対する摩擦係数が小さくなっている。
【００８６】
またピッカローラ６１は、左右に１個ずつ配置されており、収容空間ＳＣの前側における下寄りの位置であって、プールガイド３４に穿設された２箇所の孔部３４Ｈとそれぞれ対応する位置に設けられている。さらにピッカローラ６１は、その周側面のうち後側の一部分を収容空間ＳＣ内に突出させるよう、その取付位置が調整されている。
【００８７】
このピッカローラ６１は、紙幣制御部１１（図１、図２）により制御される取込駆動機構（図示せず）から駆動力が伝達されることにより、図４（Ａ）における反時計方向に回転する。これによりピッカローラ６１は、例えば第１収容空間ＳＣ１内に収容されている紙幣ＢＬが第１ビルプレス３５により前方へ押し付けられているときに、最前面の紙幣ＢＬに対し下方へ向かう力を加えて送り出すことができる。
【００８８】
因みにピッカローラ６１は、取込駆動機構（図示せず）により一定の回転速度で回転されるものの、高摩擦部材が周側面の一部分にのみ設けられ、他の部分の摩擦係数が低くなっていることにより、紙幣ＢＬを間欠的に、すなわち１枚ずつ間隔を空けるようにして送り出すことができる。
【００８９】
フィードローラ６２は、ピッカローラ６１と同様、中心軸を左右方向に向けた扁平な円柱状に形成されており、その周側面における一部分に紙幣ＢＬに対する摩擦係数が大きい高摩擦部材が取り付けられる一方、他の部分における紙幣ＢＬに対する摩擦係数が小さくなっている。
【００９０】
またフィードローラ６２は、複数個が左右方向に並ぶように配置されており、ピッカローラ６１の下方、すなわち収容空間ＳＣの前下方に位置している。このフィードローラ６２は、ピッカローラ６１と同様、取込駆動機構（図示せず）から伝達される駆動力により、当該ピッカローラ６１と同期して図４（Ａ）における反時計方向に回転させる。これによりフィードローラ６２は、ピッカローラ６１により下方へ送られてきた最前面の紙幣ＢＬに対し、さらに下方へ力を加えて進行させることができる。
【００９１】
ゲートローラ６３は、ピッカローラ６１及びフィードローラ６２と同様、中心軸を左右方向に向けた扁平な円柱状に形成されているものの、その全周側面において、紙幣ＢＬに対する摩擦係数が小さくなっている。
【００９２】
またゲートローラ６３は、複数個が左右方向に並ぶように、且つそれぞれフィードローラ６２と対向するように配置されており、フィードローラ６２の後方、すなわち収容空間ＳＣの下方における前寄りに位置している。ここでフィードローラ６２及びゲートローラ６３の間隔は、１枚の紙幣ＢＬが辛うじて通過できる程度の極めて狭い間隔となっている。またゲートローラ６３は、取込駆動機構（図示せず）から伝達される駆動力により、図４（Ａ）における反時計方向に回転し、或いは静止する。
【００９３】
これによりゲートローラ６３は、ピッカローラ６１及びフィードローラ６２からの力及び紙幣ＢＬ間の摩擦力により、２枚以上の紙幣ＢＬが重なった状態で下方へ進行しようとしていた場合に、最前面以外の（すなわち前から２枚目以降の）紙幣ＢＬを堰き止め、最前面にある１枚の紙幣ＢＬのみを分離して下方へ進行させることができる。
【００９４】
搬送ガイド６４は、フィードローラ６２及びゲートローラ６３の間を通過してきた、すなわち１枚ずつに分離された紙幣ＢＬを所定の搬送経路に沿って下方へ案内し、搬送部１３（図２）に受け渡す。
【００９５】
このようにして取込部３９は、収容空間ＳＣ内に収容されている紙幣ＢＬを１枚ずつに分離して取り込み、搬送部１３（図２）に順次受け渡すことができる。
【００９６】
放出部４０は、搬送ガイド６５、駆動ローラ６６、従動ローラ６７及び舌片ローラ６８により構成されている。
【００９７】
搬送ガイド６５は、接客部１２の下方に位置する搬送部１３（図２）から受け渡された紙幣ＢＬを所定の搬送経路に沿って上方へ向けて案内し、駆動ローラ６６及び従動ローラ６７の間に挟持させる。
【００９８】
駆動ローラ６６は、中心軸を左右方向に向けた扁平な円柱状に形成されている。この駆動ローラ６６は、収容空間ＳＣの下方における後端寄りとなる位置に、複数個が左右方向に並ぶように配置されている。また駆動ローラ６６は、図示しない放出駆動機構から駆動力が伝達されることにより、図４（Ａ）における時計方向に回転する。
【００９９】
従動ローラ６７は、駆動ローラ６６と同様、中心軸を左右方向に向けた扁平な円柱状に形成されている。この従動ローラ６７は、駆動ローラ６６の後方に、すなわち収容空間ＳＣの後下方となる位置に、複数個がそれぞれ駆動ローラ６６と対向するように、左右方向に並んで配置されている。
【０１００】
また従動ローラ６７は、図示しない回転軸により、自在に回転し得るように支持されると共に、図示しない付勢部材により前方へ付勢されており、その周側面を駆動ローラ６６の周側面に押し付けている。
【０１０１】
舌片ローラ６８は、比較的小さい円柱状に形成された中心部６８Ａの周側面に、８本の舌片６８Ｂが放射状に取り付けられた構成となっている。舌片６８Ｂは、柔軟性を有する材料により、放射方向に沿った細長い形状に形成されている。
【０１０２】
また放出部４０では、駆動ローラ６６及び舌片ローラ６８により回転軸を共有させており、左右方向に複数の舌片ローラ６８を離散的に配置している。このため舌片ローラ６８は、放出駆動機構（図示せず）から伝達される駆動力により、当該駆動ローラ６６と同様に、図４（Ａ）における時計方向に回転する。
【０１０３】
かかる構成により放出部４０は、搬送ガイド６５に沿って搬送されてきた紙幣ＢＬを駆動ローラ６６及び従動ローラ６７の間に挟持し、当該駆動ローラ６６を回転させることにより、当該紙幣ＢＬを上方の収容空間ＳＣ内へ、例えば第２収容空間ＳＣ２内へ放出する。
【０１０４】
ここで第２収容空間ＳＣ２内へ放出された紙幣ＢＬは、そのまま上方へ進行し、シャッタ３２の下面に設けられたビルストッパ６９に衝突する。ビルストッパ６９は、図示しない弾性部材（例えばスプリング）を介してシャッタ３２に取り付けられており、紙幣ＢＬの衝突による衝撃を吸収し、当該紙幣ＢＬを僅かに下方へ押し戻す。
【０１０５】
その後紙幣ＢＬは、ビルストッパ６９による押し戻された勢いと重力の作用とにより下方へ落下し、その下端をフロアガイド３３に当接させる。さらに紙幣ＢＬは、回転している舌片ローラ６８により前方へ押し付けられ、ステージ３６の後面３６Ｒ側に寄せ付けられ、順次集積されていく。
【０１０６】
このようにして放出部４０は、搬送部１３（図２）から順次搬送されてくる紙幣ＢＬを収容空間ＳＣ内へ放出し、ステージ３６の後面３６Ｒに寄せ付けるようにして集積することができる。
【０１０７】
［１−３．入出金動作］
ところで、現金自動預払機１（図１）において入金取引及び出金取引が行われる場合、接客部１２は、紙幣制御部１１（図１、図２）の制御に基づき、シャッタ３２を開閉させると共に４個の仕切部材（プールガイド３４、第１ビルプレス３５、ステージ３６及び第２ビルプレス３７）を適宜移動させるようになっている。
【０１０８】
以下では、接客部１２における状態の遷移及び４個の仕切部材の動作について、入金取引及び出金取引それぞれの処理に分けて説明する。
【０１０９】
［１−３−１．入金取引］
現金自動預払機１において入金取引を行う場合、接客部１２は、まず図６に示すように、シャッタ３２を後方へ移動させて収容空間ＳＣの上方を開放し、顧客に紙幣ＢＬを収容空間ＳＣ内に投入させる。
【０１１０】
このとき接客部１２は、プールガイド３４をある程度後方へ移動させて取込部３９を隠蔽すると共に、第２ビルプレス３７をある程度前方へ移動させて放出部４０を隠蔽する。また接客部１２は、第１ビルプレス３５を極力後方へ移動させることにより、ステージ３６を第２ビルプレス３７及び第１ビルプレス３５により挟み込む。以下、接客部１２におけるこの状態（図６）を開放状態と呼ぶ。
【０１１１】
これにより接客部１２は、第１収容空間ＳＣ１を広げて露出させることができ、顧客により当該第１収容空間ＳＣ１へ紙幣ＢＬを投入させることができる。因みに入金取引では、最大で２００枚の紙幣ＢＬが投入されることが想定されている。このため接客部１２では、このときの第１収容空間ＳＣ１における第１空間長ＳＬ１が紙幣ＢＬの２００枚分の厚さよりも長くなるように設定されている。
【０１１２】
その後、操作表示部６（図１）に対し所定の読取開始操作がなされると、接客部１２は、図７に示すように、シャッタ３２を前方へ移動させて収容空間ＳＣを閉塞する。また接客部１２は、プールガイド３４を最も前方へ移動させることにより、孔部３４Ｈからピッカローラ６１の一部を第１収容空間ＳＣ１内に露出させる。さらに接客部１２は、第１ビルプレス３５を前方へ移動させることにより、紙幣ＢＬを当該第１ビルプレス３５及びプールガイド３４の間に挟み込み、その最前面をピッカローラ６１に押し付ける。
【０１１３】
これに加えて接客部１２は、第２ビルプレス３７を最も後方へ移動させる。このときステージ３６は、第１ビルプレス３５から離されており外力が加えられていないため、連動部３８のスプリング５７（図５）の作用により、第２ビルプレス３７から最も離れ、第２収容空間ＳＣ２の第２空間長ＳＬ２を連動最大長Ｊ１とする。以下、接客部１２におけるこの状態（図７）を取込状態と呼ぶ。
【０１１４】
ところで接客部１２では、放出部４０から第２収容空間ＳＣ２内に紙幣ＢＬを円滑に放出するために、当該第２収容空間ＳＣ２内に他の紙幣ＢＬが存在しないようなある程度の広さの空間を形成する必要がある。その一方で接客部１２は、第２収容空間ＳＣ２内に放出された紙幣ＢＬを舌片ローラ６８により前方へ寄せ付けて集積するために、ステージ３６の後面３６Ｒ又は集積されている紙幣ＢＬのうち最も後側の面（以下これを集積最後面と呼ぶ）を、舌片ローラ６８の回転半径内に位置させる必要がある。
【０１１５】
一方、入金取引において入金リジェクト紙幣ＢＬＲが発生する割合は、一般に、多くとも１０％程度である。すなわち現金自動預払機１では、１回の入金取引において、多くとも２０枚程度の入金リジェクト紙幣ＢＬＲが発生することになる。
【０１１６】
そこで接客部１２では、第２収容空間ＳＣ２内におけるステージ３６の後面３６Ｒ側に集積された紙幣ＢＬの枚数が概ね２０枚以下であるときに、放出部４０から放出される紙幣ＢＬを適切に集積し得る位置にステージ３６を位置させるよう、連動最大長Ｊ１の長さが適切に設定されている。
【０１１７】
これを換言すれば、接客部１２では、第２収容空間ＳＣ２に放出可能な紙幣ＢＬの枚数が、最大で約２０枚となっている。
【０１１８】
接客部１２は、この取込放出状態で取込部３９を動作させることにより、第１収容空間ＳＣ１内の紙幣ＢＬを１枚ずつに分離しながら取り込み、搬送部１３（図２）へ受け渡していく。このとき搬送部１３は、当該紙幣ＢＬを認識部１４において認識させ、取引すべきで無いと認識された紙幣ＢＬ（すなわち入金リジェクト紙幣ＢＬＲ）を接客部１２の放出部４０へ搬送する。接客部１２は、放出部４０を動作させることにより、搬送されてきた入金リジェクト紙幣ＢＬＲを第２収容空間ＳＣ２内へ放出し、ステージ３６の後面３６Ｒ側に寄せ付けるように集積していく。
【０１１９】
ところで接客部１２は、入金取引において第１収容空間ＳＣ１内に投入された紙幣ＢＬを取込部３９により全て取り込んだ時点で、入金リジェクト紙幣ＢＬＲが第２収容空間ＳＣ２内に集積されていた場合、シャッタ３２を再度開放して当該入金リジェクト紙幣ＢＬＲを顧客に返却する。
【０１２０】
ここで、例えば顧客が入金取引の途中で現金自動預払機１の前から立ち去ってしまった場合等に、この入金リジェクト紙幣ＢＬＲが取り出されないことがある。このような場合、現金自動預払機１は、この入金リジェクト紙幣ＢＬＲを再び内部に取り込むことにより、次の顧客に取り出させないようにする。
【０１２１】
具体的に接客部１２は、図８に示すように、シャッタ３２を閉塞した上で、第１ビルプレス３５を最も前方へ移動させてプールガイド３４と当接させる。また接客部１２は、第２収容空間ＳＣ２内に入金リジェクト紙幣ＢＬＲを集積したまま、第２ビルプレス３７を最も前方へ移動させることにより、連動部３８のスプリング５７（図４）の作用によってステージ３６を第１ビルプレス３５に当接させる。
【０１２２】
これによりピッカローラ６１の後端部分は、プールガイド３４の孔部３４Ｈ、第１ビルプレス３５の孔部３５Ｈ及びステージ３６の孔部３６Ｈ（図３）を順次通り抜け、当該ステージ３６の後面３６Ｒ側、すなわち第２収容空間ＳＣ２内に露出する。このピッカローラ６１には、第２ビルプレス３７により前方へ押し付けられている入金リジェクト紙幣ＢＬＲの最前面が当接する。以下、接客部１２におけるこの状態（図８）を取忘取込状態と呼ぶ。
【０１２３】
この状態で接客部１２は、取込部３９を動作させることにより、入金リジェクト紙幣ＢＬＲを１枚ずつに分離して取り込み、搬送部１３（図２）に受け渡していくことができる。因みに紙幣入出金機１０は、ここで取り込まれた入金リジェクト紙幣ＢＬＲを、他の紙幣ＢＬと区別して所定の収納庫に収納する。
【０１２４】
このように接客部１２は、入金取引において開放状態（図６）、取込状態（図７）及び取忘取込状態（図８）に適宜遷移することにより、顧客に投入された紙幣ＢＬを１枚ずつに分離して取り込むと共に入金リジェクト紙幣ＢＬＲを返却し、これが取り出されなかった場合に再び１枚ずつに分離して取り込むようになっている。
【０１２５】
［１−３−２．出金取引］
現金自動預払機１において出金取引を行う場合、接客部１２は、まず図９に示すように、シャッタ３２により収容空間ＳＣの上方を閉塞したまま、第２ビルプレス３７を最も後方に位置させると共に、第１ビルプレス３５を最も後方に移動させる。
【０１２６】
これにより接客部１２では、第１ビルプレス３５をステージ３６に当接させると共に当該ステージ３６を第２ビルプレス３７に当接させ、放出部４０の上方に第１収容空間ＳＣ１の後端を位置させる。
【０１２７】
また接客部１２は、プールガイド３４を第１ビルプレス３５から連動最大長Ｊ１と同程度の距離だけ離れた位置へ移動させる。これにより接客部１２は、第１収容空間ＳＣ１の第１空間長ＳＬ１を、放出部４０からの紙幣ＢＬの放出及びプールガイド３４の後面３４Ｒに寄せ付けた集積に適した距離とする。以下、接客部１２におけるこの状態（図９）を放出状態と呼ぶ。
【０１２８】
この状態において接客部１２は、放出部４０を動作させることにより、搬送部１３（図２）から順次搬送されてくる紙幣ＢＬを、当該放出部４０から第１収容空間ＳＣ１内へ放出すると共に、プールガイド３４の後面３４Ｒ又は既に集積されている紙幣ＢＬの最後面（すなわち集積最後面）に押し付けるようにして集積させていく。
【０１２９】
またこのとき接客部１２は、集積された紙幣ＢＬの枚数が増加するに連れて、ステージ３６を徐々に又は段階的に前方へ移動させていく。これにより接客部１２は、集積最後面の位置をほぼ一定に保つことができ、放出部４０からの紙幣ＢＬの放出及び集積を安定的に継続することができる。
【０１３０】
因みに現金自動預払機１では、１回の出金取引において最大で２００枚の紙幣ＢＬを出金することが想定されている。そこで接客部１２では、第２空間長ＳＬ２が連動最大長Ｊ１（図４（Ａ））に制限されるため最大で２０枚程度までの紙幣ＢＬを収容できる第２収容空間ＳＣ２では無く、事実上収容空間ＳＣにおけるほぼ全ての範囲を占有できるため２００枚の紙幣ＢＬを確実に収容できる第１収容空間ＳＣ１に紙幣ＢＬを放出するようになっている。
【０１３１】
その後接客部１２は、出金すべき紙幣ＢＬを第１収容空間ＳＣ１内に全て放出してプールガイド３４の後面３４Ｒ側に集積すると、当該プールガイド３４及び第１ビルプレス３５、ステージ３６及び第２ビルプレス３７を開放状態（図６）と同様の位置に移動させると共にシャッタ３２を開放し、紙幣ＢＬを取り出しやすい状態として顧客に取り出させる。
【０１３２】
この出金取引においても、例えば顧客が手続の途中で現金自動預払機１の前から立ち去ってしまった場合等に、出金された紙幣ＢＬが取り出されないことがある。このような場合、現金自動預払機１は、この出金された紙幣ＢＬを再び内部に取り込むことにより、次の顧客に取り出させないようにする。
【０１３３】
具体的に接客部１２は、入金された紙幣ＢＬを内部に取り込む場合と同様、取込状態（図７）として取込部３９により紙幣ＢＬを１枚ずつ取り込んでいく。因みに現金自動預払機１は、ここで取り込まれた紙幣ＢＬを、認識部１４（図２）における認識結果に拘わらず、他の紙幣ＢＬと区別して所定の収納庫に全て収納する。
【０１３４】
このように接客部１２は、出金取引において放出状態（図９）及び開放状態（図６）に適宜遷移することにより、顧客に出金すべき紙幣ＢＬを収容空間ＳＣ内に集積して出金し、これが取り出されなかった場合に取込状態（図７）に遷移して再び取り込むようになっている。
【０１３５】
［１−４．動作及び効果］
以上の構成において、第１の実施の形態による接客部１２は、プールガイド３４、第１ビルプレス３５及び第２ビルプレス３７をプールガイド駆動部４１、第１ビルプレス駆動部４６及び第２ビルプレス駆動部５１（図４（Ｂ））によりそれぞれ独立に移動させると共に、連動部３８によりステージ３６を第２ビルプレス３７と連動させるようにした。
【０１３６】
連動部３８（図５）は、スプリング５７及びストッパ５８の作用により、ステージ３６を第２ビルプレス３７から前方に連動最大長Ｊ１だけ引き離す一方、第１ビルプレス３５により押し付けられた場合には当該ステージ３６を第２ビルプレス３７へ近接させ、さらには当接させる。
【０１３７】
これにより接客部１２は、入金取引及び出金取引において必要な種々の状態、すなわち開放状態（図６）、取込状態（図７）、取忘取込状態（図８）及び放出状態（図９）にそれぞれ遷移することができる。
【０１３８】
特に接客部１２は、取込状態（図７）において、４個の仕切部材（プールガイド３４、第１ビルプレス３５、ステージ３６及び第２ビルプレス３７）それぞれを適切な位置に移動させることができる。
【０１３９】
このため接客部１２では、取込部３９による第１収容空間ＳＣ１内の紙幣ＢＬの取込と並行して、放出部４０により第２収容空間ＳＣ２へ入金リジェクト紙幣ＢＬＲを放出することができる。さらに接客部１２は、仮に入金リジェクト紙幣ＢＬＲが顧客により取り出されなかった場合に、取忘取込状態（図８）へ遷移することにより、当該入金リジェクト紙幣ＢＬＲを再び取り込んで現金自動預払機１の内部に収納することができる。
【０１４０】
このように接客部１２は、３組の駆動部（プールガイド駆動部４１、第１ビルプレス駆動部４６及び第２ビルプレス駆動部５１）及び連動部３８の組み合わせにより、４個の仕切部材（プールガイド３４、第１ビルプレス３５、ステージ３６及び第２ビルプレス３７）をそれぞれ適切な位置に移動させることができる。従って接客部１２は、４組の駆動部が必要であった従来の接客部３１２（図２０）と比較して、駆動部の数を削減することができるので、簡素な構成により同等の機能を実現することができる。
【０１４１】
以上の構成によれば、第１の実施の形態による接客部１２は、第２ビルプレス３７に取り付けた連動部３８により、当該第２ビルプレス３７に対しスプリング５７を介してステージ３６を連動最大長Ｊ１の範囲内で前後方向へ移動させるようにした。これにより接客部１２は、プールガイド駆動部４１、第１ビルプレス駆動部４６及び第２ビルプレス駆動部５１といった３組の駆動機構により、プールガイド３４、第１ビルプレス３５及び第２ビルプレス３７を直接駆動するだけで、ステージ３６を含めた４個の仕切部材を適切な位置に移動させ、入金取引及び出金取引において必要な種々の状態に遷移させることができる。
【０１４２】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点が相違するものの、他の部分については同様に構成されている。
【０１４３】
紙幣入出金機１１０（図２）は、第１の実施の形態による紙幣入出金機１０と比較して、紙幣制御部１１及び接客部１２に代わる紙幣制御部１１１及び接客部１１２を有する点が相違するものの、他の部分については同様に構成されている。
【０１４４】
紙幣制御部１１１は、第１の実施の形態による紙幣制御部１１と同様、図示しないＣＰＵを中心に構成されており、図示しないＲＯＭやフラッシュメモリ等から所定のプログラムを読み出して実行することにより、各部の動作を制御すると共に入金取引や出金取引等の種々の処理を行うようになっている。また紙幣制御部１１１は、やはり紙幣制御部１１と同様、内部にＲＡＭ、ハードディスクドライブやフラッシュメモリ等でなる記憶部を有しており、この記憶部に種々の情報を記憶させるようになっている。
【０１４５】
［２−１．接客部の構成］
接客部１１２は、図４（Ａ）及び（Ｂ）と対応する図１０（Ａ）及び（Ｂ）に示すように、筐体３０よりも前後方向に長い筐体１３０内に、第１の実施の形態と同等の収容空間ＳＣが形成されている。
【０１４６】
筐体１３０の上面側には、第１の実施の形態と同様の上面板３１及びシャッタ３２が設けられている。また収容空間ＳＣの下方には、第１の実施の形態と同様にフロアガイド３３、取込部３９及び放出部４０が設けられている。さらに収容空間ＳＣ内には、４個の仕切部材（プールガイド３４、第１ビルプレス３５、ステージ３６及び第２ビルプレス３７）が設けられている。
【０１４７】
プールガイド３４は、第１の実施の形態と異なり、筐体３０に対し可動支持部１８０を介して取り付けられている。可動支持部１８０は、第１の実施の形態における連動部３８（図５）と類似した構成となっており、シャフト１８１、スプリング１８２、挿通支持部１８３及びストッパ１８４により構成されている。
【０１４８】
シャフト１８１は、連動部３８のシャフト５６と同様に前後方向に細長い円柱上に形成されており、プールガイド３４の前面から前方へ向けて立設されている。このシャフト１８１の周囲には、スプリング１８２が挿通されている。
【０１４９】
スプリング１８２は、スプリング５７と同様、その内径がシャフト１８１の外径よりも僅かに大きいコイルスプリングとなっている。またスプリング１８２の自然長は、シャフト１８１の前後長よりも長くなっている。
【０１５０】
挿通支持部１８３は、前後方向に薄い板状に形成されており、筐体１３０に対し固定されている。また挿通支持部１８３には、前後方向に貫通する丸孔でなる挿通孔が穿設されている。この挿通孔の孔径（内径）は、シャフト１８１の外径よりも僅かに大きく、且つスプリング１８２の外径よりも小さくなっている。
【０１５１】
ストッパ１８４は、シャフト１８１にスプリング１８２及び挿通支持部１８３が挿通された状態で、当該シャフト１８１の前端に取り付けられる。また筐体１３０内には、前規制体１８７が取り付けられている。この前規制体１８７の後面１８７Ｒは、収容空間ＳＣの前端よりも僅かに前方であって、且つ挿通支持部１８３よりも後方に位置している。
【０１５２】
かかる構成により可動支持部１８０は、特に外力が加えられていない場合、図１０（Ａ）に示したように、スプリング１８２の作用により挿通支持部１８３に対しプールガイド３４を後方に押し出し、ストッパ１８４を当該挿通支持部１８３に当接させた状態となる。
【０１５３】
ここでシャフト１８１の前後長及び挿通支持部１８３の取付位置は、プールガイド３４が最も後方へ移動したときに、第１の実施の形態における開放状態（図６）と同等の位置となるように設定されている。
【０１５４】
一方、可動支持部１８０は、プールガイド３４に対し前方へ向かう外力が加えられると、スプリング１８２を圧縮させながら当該プールガイド３４を前方へ移動させていき、その前面を前規制体１８７の後面１８７Ｒに当接させた状態で静止させる。
【０１５５】
ここで前規制体１８７は、このときのプールガイド３４の位置が、第１の実施の形態において最も前方へ移動されたときの位置（例えば図４（Ａ））と同等となるよう、筐体１３０に対する取付位置が設定されている。
【０１５６】
このように可動支持部１８０は、スプリング１８２の付勢力及びプールガイド３４に加えられる外力に応じて、当該プールガイド３４を限られた範囲内で前後方向へ移動させるようになっている。
【０１５７】
第１ビルプレス３５は、第１の実施の形態と同様、第１ビルプレス駆動部４６（図１０（Ｂ））により前後方向へ移動される。このため接客部１１２は、第１の実施の形態と同様、第１収容空間ＳＣ１の第１空間長ＳＬ１を比較的長い距離から「０」までの広い範囲で変化させることができる。これを換言すれば、第１収容空間ＳＣ１には、第１の実施の形態と同様に、比較的多くの枚数の紙幣ＢＬを収容することができる。
【０１５８】
ステージ３６及び第２ビルプレス３７は、連動部３８に代えて左右それぞれに設けられた連動部１３８により互いに連動するようになっている。連動部１３８は、図５（Ａ）及び（Ｂ）とそれぞれ対応する図１１（Ａ）及び（Ｂ）に示すように、フレーム１７１、シャフト１７２、第２ビルプレス支持部３７Ｔ、スプリング１７３及びステージ支持部３６Ｔにより構成されている。
【０１５９】
フレーム１７１は、前後方向に細長い直方体状に形成された下底部１７１Ａの前端及び後端に、それぞれ前後方向に薄い直方体状でなる前端部１７１Ｂ及び後端部１７１Ｃが、上方へ向けて立設されている。因みにフレーム１７１は、金属等の剛性の高い部材により構成されており、容易に変形しないようになっている。
【０１６０】
シャフト１７２は、連動部３８のシャフト５６と同様に、その中心軸を前後方向に向けた細長い円柱状に形成されている。またシャフト１７２の前後長は、前端部１７１Ｂ及び後端部１７１Ｃの間隔と略同等となっている。
【０１６１】
スプリング１７３は、第１の実施の形態におけるスプリング５７と同様、コイルスプリングとして形成されており、その内径がシャフト１７２の外径よりも大きく形成されると共に、その自然長がシャフト１７２の前後長よりも長くなっている。
【０１６２】
ステージ支持部３６Ｔには、第１の実施の形態と同様、シャフト１７２の外径よりも僅かに大きな孔径でなる挿通孔３６ＴＨが穿設されている。また第２ビルプレス支持部３７Ｔには、このステージ支持部３６Ｔと同様、シャフト１７２の外径よりも僅かに大きな孔径でなる挿通孔３７ＴＨが穿設されている。
【０１６３】
このシャフト１７２は、前側から順にステージ支持部３６Ｔ、スプリング１７３及び第２ビルプレス支持部３７Ｔが挿通された状態で、フレーム１７１に対し前端部１７１Ｂ及び後端部１７１Ｃの間に挟持されるようにして取り付けられている。
【０１６４】
これにより前端部１７１Ｂは、フレーム１７１に対するステージ３６の前方向への移動範囲を規制している。また後端部１７１Ｃは、フレーム１７１に対する第２ビルプレス３７の後方向への移動範囲を規制している。すなわち前端部１７１Ｂ及び後端部１７１Ｃは、ステージ３６及び第２ビルプレス３７の最大間隔を規制している。
【０１６５】
ところでフレーム１７１は、第１の実施の形態における第２ビルプレス駆動部５１に代わるフレーム駆動部１５１により駆動される。
【０１６６】
このフレーム駆動部１５１（図１０（Ｂ））は、第２ビルプレス駆動部５１と同様、収容空間ＳＣの左右にそれぞれ設けられており、駆動プーリ５２、従動プーリ５３及びベルト５４とそれぞれ同様に構成された駆動プーリ１５２、従動プーリ１５３及びベルト１５４により構成されている。因みにベルト１５４は、フレーム１７１に直接固定されている。
【０１６７】
すなわちフレーム駆動部１５１は、紙幣制御部１１１（図１、図２）の制御に基づいてベルト１５４を走行させることにより、フレーム１７１を前後方向へ移動させることができる。
【０１６８】
さらに筐体１３０内における収容空間ＳＣの後方には、後規制体１７７（図１０（Ａ））が取り付けられている。後規制体１７７は、その前面１７７Ｆが収容空間ＳＣの後端と略同等の位置となるよう、その位置が調整されている。
【０１６９】
このため後規制体１７７は、その前面１７７Ｆに第２ビルプレス３７の後面が当接している場合、当該第２ビルプレス３７の前面３７Ｆを、収容空間ＳＣの略後端であって放出部４０の放出口４０Ｇよりも僅かに後方に位置させることができる。すなわち後規制体１７７は、後方向に関する第２ビルプレス３７の移動範囲（移動限界）を規定している。
【０１７０】
かかる構成により連動部１３８は、図１２（Ａ）に示すように、ステージ３６及び第２ビルプレス３７に対し何ら外力が加えられていない場合、スプリング１７３の作用により、ステージ支持部３６Ｔをフレーム１７１の前端部１７１Ｂに当接させると共に、第２ビルプレス支持部３７Ｔを後端部１７１Ｃに当接させる。
【０１７１】
このとき連動部１３８は、ステージ３６及び第２ビルプレス３７の前後方向の間隔、すなわち第２収容空間ＳＣ２の第２空間長ＳＬ２を最大限に拡張することになる。以下、このときの第２空間長ＳＬ２を連動最大長Ｊ２と呼ぶ。
【０１７２】
因みに連動部１３８は、連動最大長Ｊ２を第１の実施の形態における連動最大長Ｊ１（図４（Ｂ））よりも長くするよう、フレーム１７１、シャフト１７２及びスプリング１７３の前後長がそれぞれ最適化されている。
【０１７３】
このため連動部１３８は、例えばフレーム駆動部１５１によりフレーム１７１を適宜駆動することにより、図１１（Ａ）に示したように、第２ビルプレス３７の後面を後規制体１７７の前面１７７Ｆに当接させて当該第２ビルプレス３７の前面３７Ｆを収容空間ＳＣの後端に位置させ、且つ第２空間長ＳＬ２を連動最大長Ｊ２とすることができる。以下、このときのフレーム１７１の位置を、後端当接位置と呼ぶ。
【０１７４】
また連動部１３８は、フレーム１７１を後端当接位置よりも後方へ移動させると、図１２（Ｂ）に示すように、第２ビルプレス３７が後規制体１７７に当接していることにより、第２ビルプレス支持部３７Ｔをフレーム１７１の後端部１７１Ｃから引き離していく。
【０１７５】
これにより連動部１３８は、第２ビルプレス支持部３７Ｔとステージ支持部３６Ｔとの間でスプリング１７３を圧縮しながら、ステージ３６を第２ビルプレス３７に近接させ、第２収容空間ＳＣ２の第２空間長ＳＬ２を連動最大長Ｊ２よりも短縮することができる。
【０１７６】
さらに連動部１３８は、フレーム１７１を最も後方へ移動させることにより、図１２（Ｃ）に示すように、ステージ３６の後面３６Ｒを第２ビルプレス３７の前面３７Ｆに当接させ、第２収容空間ＳＣ２の第２空間長ＳＬ２を「０」とすることもできる。
【０１７７】
また連動部１３８は、フレーム１７１を前方へ移動させると共にステージ３６を第１ビルプレス３５に当接させることにより、図１２（Ｄ）に示すように、ステージ支持部３６Ｔをフレーム１７１の前端部１７１Ｂから引き離すことができる。
【０１７８】
これにより連動部１３８は、第２ビルプレス支持部３７Ｔとステージ支持部３６Ｔとの間でスプリング１７３を圧縮しながら、ステージ３６を第２ビルプレス３７に近接させ、第２収容空間ＳＣ２の第２空間長ＳＬ２を連動最大長Ｊ２よりも短縮することができる。
【０１７９】
これを換言すれば、連動部１３８は、第１ビルプレス３５をあたかも前側における移動範囲の規制部材として利用し、当該第１ビルプレス３５の位置をステージ３６の前方への移動限界とすることにより、収容空間ＳＣの後端近傍以外の位置においても、第２空間長ＳＬ２を短縮することができる。
【０１８０】
因みに連動部１３８は、フレーム１７１をさらに前方へ移動させることにより、ステージ３６の後面３６Ｒを第２ビルプレス３７の前面３７Ｆに当接させ、第２収容空間ＳＣ２の第２空間長ＳＬ２を「０」とすることもできる。
【０１８１】
このように連動部１３８は、フレーム駆動部１５１によりフレーム１７１が前後方向へ移動されることに伴って第２ビルプレス３７及びステージ３６を前後方向へ移動させ、さらに後規制体１７７及び第１ビルプレス３５を利用して第２収容空間ＳＣ２の第２空間長ＳＬ２を変化させることができる。
【０１８２】
［２−２．入出金動作］
ところで、現金自動預払機１０１（図１）において入金取引及び出金取引が行われる場合、接客部１１２は、紙幣制御部１１１（図１、図２）の制御に基づき、第１の実施の形態とは異なる動作によって、シャッタ３２を開閉させると共に４個の仕切部材（プールガイド３４、第１ビルプレス３５、ステージ３６及び第２ビルプレス３７）を適宜移動させるようになっている。
【０１８３】
以下では、接客部１１２における状態の遷移及び４個の仕切部材の動作について、第１の実施の形態と適宜比較しながら、入金取引及び出金取引それぞれの処理に分けて説明する。
【０１８４】
［２−２−１．入金取引］
現金自動預払機１０１において入金取引を行う場合、接客部１１２は、まず図６と対応する図１３に示すように、シャッタ３２を後方へ移動させて収容空間ＳＣの上方を開放し、顧客に紙幣ＢＬを収容空間ＳＣ内に投入させる。
【０１８５】
このとき接客部１１２は、可動支持部１８０の作用によりプールガイド３４を後方へ移動させて取込部３９を隠蔽すると共に、連動部１３８により第２ビルプレス３７を前方へ移動させて放出部４０を隠蔽する。
【０１８６】
また接客部１１２は、第１ビルプレス３５を極力後方へ移動させることにより、ステージ３６を第２ビルプレス３７及び第１ビルプレス３５により挟み込む。以下、接客部１１２におけるこの状態（図１３）をこの実施の形態における開放状態と呼ぶ。
【０１８７】
これにより接客部１１２は、第１の実施の形態と同様、第１収容空間ＳＣ１を広げて露出させることができ、顧客により当該第１収容空間ＳＣ１へ紙幣ＢＬを投入させることができる。
【０１８８】
その後、操作表示部６（図１）に対し所定の読取開始操作がなされると、接客部１１２は、図７と対応する図１４に示すように、シャッタ３２を前方へ移動させて収容空間ＳＣを閉塞する。
【０１８９】
また接客部１１２は、第１ビルプレス３５を前方へ移動させることにより、紙幣ＢＬを当該第１ビルプレス３５及びプールガイド３４の間に挟み込み、その最前面をピッカローラ６１に押し付ける。
【０１９０】
このときプールガイド３４は、第１ビルプレス３５の前方へ向かう力により可動支持部１８０のスプリング１８２を圧縮させると共に最も前方まで移動させ、孔部３４Ｈからピッカローラ６１の一部を第１収容空間ＳＣ１内に露出させる。
【０１９１】
これに加えて接客部１１２は、連動部１３８を後方へ移動させることにより、第２ビルプレス３７を後規制体１７７に当接させ、さらにスプリング１７３をある程度圧縮させて第２収容空間ＳＣ２の第２空間長ＳＬ２を連動最大長Ｊ２よりも短縮し、第１の実施の形態における連動最大長Ｊ１（図４）と同程度とする。
【０１９２】
これにより接客部１１２では、第１の実施の形態と同様、最大で約２０枚の入金リジェクト紙幣ＢＬＲを第２収容空間ＳＣ２内へ放出することができる。以下、接客部１１２におけるこの状態（図１４）をこの実施の形態における取込状態と呼ぶ。
【０１９３】
その後接客部１１２は、第１の実施の形態と同様、入金取引において第１収容空間ＳＣ１内に投入された紙幣ＢＬを取込部３９により全て取り込んだ時点で入金リジェクト紙幣ＢＬＲが第２収容空間ＳＣ２内に集積されていた場合、シャッタ３２を再度開放して当該入金リジェクト紙幣ＢＬＲを顧客に返却する。
【０１９４】
ここで顧客により入金リジェクト紙幣ＢＬＲの取り忘れが発生した場合、接客部１１２は、図８と対応する図１５に示すように、シャッタ３２を閉塞し、第１ビルプレス３５を最も前方へ移動させてプールガイド３４と当接させ、当該プールガイド３４を前規制体１８７に当接させる。
【０１９５】
また接客部１１２は、第２収容空間ＳＣ２内に入金リジェクト紙幣ＢＬＲを集積したまま連動部１３８を最も前方へ移動させることにより、スプリング１７３の作用によってステージ３６を第１ビルプレス３５に当接させる。
【０１９６】
これによりピッカローラ６１の後端部分は、第１の実施の形態と同様、プールガイド３４の孔部３４Ｈ、第１ビルプレス３５の孔部３５Ｈ及びステージ３６の孔部３６Ｈ（図３）を順次通り抜け、当該ステージ３６の後面３６Ｒ側、すなわち第２収容空間ＳＣ２内に露出する。このピッカローラ６１には、第２ビルプレス３７により前方へ押し付けられている入金リジェクト紙幣ＢＬＲの最前面が当接する。以下、接客部１１２におけるこの状態（図１５）をこの実施の形態における取忘取込状態と呼ぶ。
【０１９７】
この状態で接客部１１２は、取込部３９を動作させることにより、第１の実施の形態と同様、入金リジェクト紙幣ＢＬＲを１枚ずつに分離して取り込み、搬送部１３（図２）に受け渡していくことができる。
【０１９８】
このように接客部１１２は、入金取引において開放状態（図１３）、取込状態（図１４）及び取忘取込状態（図１５）に適宜遷移することにより、顧客に投入された紙幣ＢＬを１枚ずつに分離して取り込むと共に入金リジェクト紙幣ＢＬＲを返却し、これが取り出されなかった場合に再び１枚ずつに分離して取り込むことができる。
【０１９９】
［２−２−２．出金取引］
現金自動預払機１０１において出金取引を行う場合、接客部１１２は、まず図９と対応する図１６に示すように、シャッタ３２により収容空間ＳＣの上方を閉塞したまま、取込状態（図１４）と同様、連動部１３８を後方へ移動させる。
【０２００】
これにより接客部１１２は、第２ビルプレス３７を後規制体１７７に当接させ、さらにスプリング１７３をある程度圧縮させて第２収容空間ＳＣ２の第２空間長ＳＬ２を連動最大長Ｊ２よりも短縮し、第１の実施の形態における連動最大長Ｊ１（図４）と同程度とする。また接客部１１２は、第１ビルプレス３５を最も前方へ移動させることによりプールガイド３４を前規制体１８７に押し付け、ステージ３６の前方に空間を確保する。
【０２０１】
これにより接客部１１２は、第１の実施の形態と異なり、放出部４０の上方に第２収容空間ＳＣ２の後端を位置させる。以下、接客部１１２におけるこの状態（図１６）をこの実施の形態における放出状態と呼ぶ。
【０２０２】
この状態において接客部１１２は、放出部４０を動作させることにより、搬送部１３（図２）から順次搬送されてくる紙幣ＢＬを、当該放出部４０から第２収容空間ＳＣ２内へ放出すると共に、ステージ３６の後面３６Ｒ又は既に集積されている紙幣ＢＬの最後面（すなわち集積最後面）に押し付けるようにして集積させていく。
【０２０３】
またこのとき接客部１１２は、集積された紙幣ＢＬの枚数が増加するに連れて、連動部１３８のフレーム１７１（図１１）を徐々に又は段階的に前方へ移動させていく。これにより連動部１３８は、スプリング１７３の作用によって第２ビルプレス３７を後規制体１７７に当接させたまま、ステージ３６のみを徐々に又は段階的に前方へ移動させ、第２収容空間ＳＣ２の第２空間長ＳＬ２を第１の実施の形態における連動最大長Ｊ１（図４）よりも拡大していく。
【０２０４】
この結果、接客部１１２は、最大で２００枚の紙幣ＢＬが放出される場合であっても、集積最後面の位置をほぼ一定に保つことができ、放出部４０からの紙幣ＢＬの放出及び集積を安定的に継続することができる。
【０２０５】
その後接客部１１２は、出金すべき紙幣ＢＬを第２収容空間ＳＣ２内に全て放出してステージ３６の後面３６Ｒ側に集積すると、図１７に示すように、連動部１３８を前方へ移動させて第２ビルプレス３７を開放状態（図１３）と同様の位置に移動させると共にステージ３６を当該第２ビルプレス３７から最も引き離し、第２収容空間ＳＣ２を第２空間長ＳＬ２が連動最大長Ｊ２となる程度まで拡大する。
【０２０６】
また接客部１１２は、第１ビルプレス３５をやや後方へ移動させることにより、プールガイド３４と当接させたまま、その後面をステージ３６の前面と当接させてシャッタ３２を開放し、紙幣ＢＬを取り出しやすい状態として顧客に取り出させる。以下、接客部１１２におけるこの状態（図１７）をこの実施の形態における出金開放状態と呼ぶ。
【０２０７】
この出金取引において顧客が紙幣ＢＬを取り出さなかった場合、接客部１１２は、入金リジェクト紙幣ＢＬＲが取り出されなかった場合と同様、取忘取込状態（図１５）として取込部３９により紙幣ＢＬを１枚ずつ取り込んでいく。
【０２０８】
このように接客部１１２は、出金取引において放出状態（図１６）及び出金開放状態（図１７）に適宜遷移することにより、顧客に出金すべき紙幣ＢＬを収容空間ＳＣ内に集積して出金し、これが取り出されなかった場合に取忘取込状態（図１５）に遷移して再び取り込むことができる。
【０２０９】
［２−３．動作及び効果］
以上の構成において、第２の実施の形態による接客部１１２は、プールガイド３４を可動支持部１８０により前後方向へ移動可能に支持し、第１ビルプレス３５を第１ビルプレス駆動部４６により単独で移動させると共に、ステージ３６及び第２ビルプレス３７を連動させる連動部１３８をフレーム駆動部１５１により前後方向へ移動させるようにした。
【０２１０】
特に連動部１３８は、スプリング１７３により両者を離隔方向に付勢する一方、フレーム１７１によりステージ３６及び第２ビルプレス３７の前後方向への最大離隔距離を規制した。これに加えて接客部１１２では、後規制体１７７により第２ビルプレス３７の後方向への移動範囲を規制すると共に、第１ビルプレス３５によりステージ３６の前方向への移動範囲を規制した。
【０２１１】
このため連動部１３８は、フレーム駆動部１５１（図１０（Ｂ））によってフレーム１７１の後端部１７１Ｃ（図１１）を後規制体１７７よりも後方に位置させることにより、スプリング１７３の作用によって第２ビルプレス３７を後規制体１７７に当接させ、当該第２ビルプレス３７を放出部４０の放出口４０Ｇよりも後方に位置させることができる（図１２（Ｂ））。
【０２１２】
またこのとき連動部１３８は、第１ビルプレス３５がステージ３６から離れていれば、フレーム駆動部１５１によりフレーム１７１を後方向へ移動させるだけで、その移動量に応じて、当該フレーム１７１の前端部１７１Ｂと共にステージ３６を後方向へ移動させることができる。
【０２１３】
すなわち連動部１３８は、第２ビルプレス３７を後規制体１７７に当接させたままフレーム１７１を前後方向へ移動させるだけで、第２収容空間ＳＣ２における第２空間長ＳＬ２を「０」から連動最大長Ｊ２の範囲で所望の長さに調整することができる。
【０２１４】
これにより接客部１１２では、第２収容空間ＳＣ２内における紙幣ＢＬの集積枚数に拘わらず、集積最後面（集積されている紙幣ＢＬのうち最も後側の面）を紙幣ＢＬの放出に適した位置に維持することができる（図１４）。
【０２１５】
すなわち接客部１１２は、第１の実施の形態による接客部１２と同様、入金取引において、１の収容空間ＳＣ内でプールガイド３４、第１ビルプレス３５及び取込部３９による紙幣ＢＬの取込動作とステージ３６、第２ビルプレス３７及び放出部４０による入金リジェクト紙幣ＢＬＲの放出動作とを並行して実行することができる。このため現金自動預払機１０１では、入金リジェクト紙幣ＢＬＲを一時的に保管するための機構を別途設ける必要が無く、投入された紙幣ＢＬの取込動作を完了した時点で、改めて紙幣ＢＬの搬送動作を行う必要無く、入金リジェクト紙幣ＢＬＲを直ちに顧客に返却することができる。
【０２１６】
またこの第２の実施の形態では、連動最大長Ｊ２（図１０）を第１の実施の形態における連動最大長Ｊ１（図４）よりも延長したことにより、第２収容空間ＳＣ２内に最大で２００枚の紙幣ＢＬを収容することができる。
【０２１７】
これにより第２の実施の形態では、特に出金取引において放出部４０から最大で２００枚まで放出される紙幣ＢＬを、第１収容空間ＳＣ１では無く第２収容空間ＳＣ２に収容することができるため、プールガイド３４を後方まで移動させる必要が無い。
【０２１８】
このため接客部１１２では、プールガイド３４を可動支持部１８０により支持すれば良く、第１の実施の形態のようにプールガイド駆動部４１（図４）により移動させる必要が無い。すなわち接客部１１２は、第１の実施の形態による接客部１２と比較して、アクチュエータやベルトの組み合わせでなるプールガイド駆動部４１を省略することができるので、その構成を大幅に簡素化することができる。
【０２１９】
また連動部１３８は、フレーム駆動部１５１（図１０（Ｂ））によりフレーム１７１の後端部１７１Ｃ（図１１）を後規制体１７７よりも前方へ移動させることにより、第２ビルプレス３７を後規制体１７７から引き離し、その移動量に応じて前方へ移動させることができる（図１２（Ａ））。
【０２２０】
このとき接客部１１２は、第１ビルプレス３５をフレーム１７１の前端部１７１Ｂよりも後方へ移動させることにより、第２ビルプレス３７を移動させること無く、スプリング１７３を圧縮させながらステージ３６のみを後方へ移動させることができる（図１２（Ｄ））。
【０２２１】
すなわち連動部１３８は、第１ビルプレス３５を利用することにより、第２収容空間ＳＣ２における第２空間長ＳＬ２を連動最大長Ｊ２よりも短い任意の間隔に調整することができる。これにより接客部１１２では、第１の実施の形態による接客部１２と同様、入金取引において発生した入金リジェクト紙幣ＢＬＲや出金取引において出金された紙幣ＢＬの取り忘れが発生した場合に、第２収容空間ＳＣ２内の紙幣ＢＬ又は入金リジェクト紙幣ＢＬＲを収容空間ＳＣ内の最前方へ移動して取込部３９から紙幣入出金機１１０内へ再び取り込むことができる。
【０２２２】
かくして接客部１１２は、２組の駆動部（第１ビルプレス駆動部４６及びフレーム駆動部１５１）によって第１ビルプレス３５及び連動部１３８のフレーム１７１を前後方向へ適宜移動させることにより、４個の仕切部材（プールガイド３４、第１ビルプレス３５、ステージ３６及び第２ビルプレス３７）を入金取引及び出金取引において必要な位置にそれぞれ移動させることができる。すなわち接客部１１２は、開放状態（図１３）、取込状態（図１４）、取忘取込状態（図１５）、放出状態（図１６）及び出金開放状態（図１７）にそれぞれ遷移することができる。
【０２２３】
従って接客部１１２は、４組の駆動部が必要であった従来の接客部３１２（図２０）や、３組の駆動部が必要であった第１の実施の形態による接客部１２と比較して、一段と簡素な構成により同等の機能を実現することができる。
【０２２４】
以上の構成によれば、第２の実施の形態による接客部１１２は、連動部１３８において第２ビルプレス３７及びステージ３６の間にスプリング１７３を挟み、フレーム１７１により両者の間隔を連動最大長Ｊ２とする範囲内でそれぞれを前後方向へ移動させるようにし、後規制体１７７及び第１ビルプレス３５によっても第２ビルプレス３７及びステージ３６の移動範囲をそれぞれ規制した。これにより接客部１１２は、第１ビルプレス駆動部４６及びフレーム駆動部１５１といった２組の駆動機構により第１ビルプレス３５及び連動部１３８のフレーム１７１を直接駆動するだけで、プールガイド３４、ステージ３６及び第２ビルプレス３７を含めた４個の仕切部材を適切な位置に移動させ、入金取引及び出金取引において必要な種々の状態に遷移させることができる。
【０２２５】
［３．他の実施の形態］
なお上述した第２の実施の形態においては、連動部１３８においてコイルスプリングでなるスプリング１７３によりステージ３６と第２ビルプレス３７とを互いに引き離す方向に付勢する場合について述べた。しかしながら本発明はこれに限らず、例えばトーションスプリングや板ばね等、種々の弾性部材によりステージ３６と第２ビルプレス３７とを互いに引き離す方向に付勢するようにしても良い。第１の実施の形態についても同様である。
【０２２６】
また上述した第２の実施の形態においては、フレーム１７１を剛性の高い部材により構成し、容易に変形させないようにした場合について述べた。しかしながら本発明はこれに限らず、例えば図１０（Ｂ）と対応する図１８に示す接客部２１２のように、連動部１３８に代わる連動部２３８を用いても良い。
【０２２７】
この連動部２３８は、フレーム駆動部１５１に代わる連動駆動部２５１により前後方向へ駆動されるようになっている。連動駆動部２５１は、フレーム駆動部１５１の駆動プーリ１５２、従動プーリ１５３及びベルト１５４とそれぞれ対応する駆動プーリ２５２、従動プーリ２５３及びベルト２５４により構成されている。
【０２２８】
連動部２３８は、ベルト２５４の一部分をフレーム１７１の下底部１７１Ａ（図１１）として利用している。また連動部２３８では、前端部１７１Ｂおよび後端部１７１Ｃに代わる前端部２５５及び後端部２５６が連動駆動部２５１におけるベルト２５４に直接立設されている。
【０２２９】
この接客部２１２では、図１４と対応する図１９（Ａ）に示すように、後端部２５６を後規制体１７７よりも後方に位置させたい場合、ベルト２５４がその走行経路に沿って撓むことにより当該後端部２５６を下方へ退避させることができる。また接客部２１２では、図１５と対応する図１９（Ｂ）に示すように、前端部２５５を第１ビルプレス３５よりも前方に位置させたい場合、やはりベルト２５４がその走行経路に沿って撓むことにより当該前端部２５５を下方へ退避させることができる。
【０２３０】
このため接客部２１２では、第２の実施の形態による接客部１１２のように、前後方向に比較的長いフレーム１７１の移動範囲を筐体１３０内に確保する必要が無いため、筐体２３０の前後長を筐体１３０よりも短縮することができる。
【０２３１】
さらに上述した第２の実施の形態においては、連動部１３８のフレーム１７１において前端部１７１Ｂ及び後端部１７１Ｃを下側の下底部１７１Ａにより連結した形状、すなわち左右方向から見て前後に広げた略Ｕ字状とする場合について述べた。
【０２３２】
しかしながら本発明はこれに限らず、例えば前端部１７１Ｂ及び後端部１７１Ｃの左右や上側に設けた部材により連結させるようにしても良く、或いは下底部１７１Ａを省略してシャフト１７２のみにより前端部１７１Ｂ及び後端部１７１Ｃを連結させるようにしても良い。要は、連動部１３８により、ステージ３６が第１ビルプレス３５に当接していないときに前端部１７１Ｂにより前方への移動範囲を規制でき、且つ第２ビルプレス３７が後規制体１７７に当接していないときに後端部１７１Ｃにより後方への移動範囲を規制でき、さらにステージ３６及び第２ビルプレス３７の最大間隔を連動最大長Ｊ２に抑えることができれば良い。
【０２３３】
さらに上述した第２の実施の形態においては、前端部１７１Ｂ及び後端部１７１Ｃの間にシャフト１７２を設け、当該シャフト１７２に第２ビルプレス支持部３７Ｔ、スプリング１７３及びステージ支持部３６Ｔを挿通させる場合について述べた。しかしながら本発明はこれに限らず、例えば図１８及び図１９に示した接客部２１２のように、シャフト１７２を省略し、前端部１７１Ｂ及び後端部１７１Ｃの間にスプリング１７３を挟持するようにしても良い。第１の実施の形態についても同様である。
【０２３４】
さらに上述した第２の実施の形態においては、駆動プーリ１５２、従動プーリ１５３及びベルト１５４の組み合わせでなるフレーム駆動部１５１により連動部１３８のフレーム１７１を前後方向へ移動させるようにした場合について述べた。しかしながら本発明はこれに限らず、例えばアクチュエータにより回転されると共に螺旋状の溝が形成された細長いシャフト状のウォームギヤを前後方向に沿って配置し、当該ウォームギヤの溝に歯合する歯合部をフレーム１７１に固定して、当該ウォームギヤの回転によりフレーム１７１を前後方向へ移動させるようなフレーム駆動部等、種々の構成によりフレーム駆動部を構成しても良い。第１ビルプレス駆動部４６についても同様であり、また第１の実施の形態についても同様である。
【０２３５】
さらに上述した第２の実施の形態においては、前後方向に移動可能な第１ビルプレス３５によりステージ３６の前方向への移動範囲を規制する場合について述べた。しかしながら本発明はこれに限らず、例えば後規制体１７７と同様に筐体１３０に対し固定された規制部によりステージ３６の前方向への移動範囲を規制するようにしても良い。
【０２３６】
さらに上述した第２の実施の形態においては、筐体１３０に対し固定された後規制体１７７により第２ビルプレス３７の後ろ方向への移動範囲を規制する場合について述べた。しかしながら本発明はこれに限らず、例えば所定のアクチュエータ等により筐体１３０に対し前後方向へ移動可能な後規制体により第２ビルプレス３７の後ろ方向への移動範囲を規制するようにしても良い。また、後規制体１７７又はこれに代わる規制部を収容空間ＳＣの後端よりも後方に位置させることにより、第２ビルプレス３７を収容空間ＳＣよりも後方まで移動させるようにしても良い。
【０２３７】
さらに上述した第２の実施の形態においては、プールガイド３４を可動支持部１８０により前後方向へ移動可能に支持する場合について述べた。しかしながら本発明はこれに限らず、例えばプールガイド３４を収容空間ＳＣにおける前端付近に固定するようにしても良い。
【０２３８】
さらに上述した第２の実施の形態においては、収容空間ＳＣ内に紙幣ＢＬを収容すべき領域を仕切る４個の仕切部材（プールガイド３４、第１ビルプレス３５、ステージ３６及び第２ビルプレス３７）を設ける場合について述べた。しかしながら本発明はこれに限らず、収容空間ＳＣ内に３個以下又は５個以上の仕切部材を設け、これらを適宜前後方向へ移動させるようにしても良い。第１の実施の形態についても同様である。
【０２３９】
さらに上述した第２の実施の形態においては、プールガイド３４及び第２ビルプレス３７をいずれも前後方向に薄い板状に構成する場合について述べた。しかしながら本発明はこれに限らず、例えば第２ビルプレス３７を肉厚の直方体状等、種々の形状に構成しても良い。この場合、紙幣ＢＬと当接する前面３７Ｆにより第２収容空間ＳＣ２の後端を所望の位置に合わせることができれば良い。プールガイド３４についても同様であり、また第１の実施の形態についても同様である。
【０２４０】
さらに上述した第２の実施の形態においては、紙幣入出金機１１０における紙幣ＢＬの入金口及び出金口の機能を兼ねる接客部１２に取込部３９及び放出部４０を設けることにより、特に入金取引における紙幣ＢＬの取込動作時に、取込部３９による紙幣ＢＬの取込と放出部４０による入金リジェクト紙幣ＢＬＲの放出とを並行するようにした場合について述べた。しかしながら本発明はこれに限らず、例えば紙幣入出金機１１０に入金口及び出金口を独立して設ける場合に、この入金口及び出金口を接客部１１２から取込部３９又は放出部４０を省略したような構成としても良い。
【０２４１】
さらに上述した第２の実施の形態においては、紙幣制御部１１１により接客部１１２の第１ビルプレス駆動部４６及びフレーム駆動部１５１（図１０）を制御するようにした場合について述べた。しかしながら本発明はこれに限らず、例えば主制御部９（図１）や接客部１１２内に設けた専用の接客制御部（図示せず）により、或いはこれらと紙幣制御部１１１とが協働することにより、第１ビルプレス駆動部４６及びフレーム駆動部１５１を制御するようにしても良い。第１の実施の形態についても同様である。
【０２４２】
さらに上述した第２の実施の形態においては、顧客との間で現金に関する取引処理を行う現金自動預払機１０１において、紙幣制御部１１１の制御の下で媒体としての紙幣ＢＬを顧客に投入させ、また顧客に取り出させる接客部１１２に本発明を適用した場合について述べた。しかしながらこれに限らず、例えば金券や証券、或いは入場券や整理券等のような種々の紙葉状の媒体を取り扱う装置において、当該媒体を使用者等に投入させ、また取り出させる種々の箇所に本発明を適用するようにしても良い。第１の実施の形態についても同様である。
【０２４３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２４４】
さらに上述した実施の形態においては、第１仕切部材としての第２ビルプレス３７と、第２仕切部材としてのステージ３６と、付勢部としてのスプリング１７３と、間隔規制部としてのフレーム１７１と、移動範囲規制部としての後規制体１７７及び第１ビルプレス３５と、駆動部としてのフレーム駆動部１５１とによって媒体移動装置としての接客部１１２を構成する場合について述べた。
【０２４５】
しかしながら本発明はこれに限らず、その他種々の構成でなる第１仕切部材と、第２仕切部材と、付勢部と、間隔規制部と、移動範囲規制部と、駆動部とによって媒体移動装置を構成するようにしても良い。
【０２４６】
さらに上述した実施の形態においては、第１仕切部材としての第２ビルプレス３７と、第２仕切部材としてのステージ３６と、付勢部としてのスプリング１７３と、間隔規制部としてのフレーム１７１と、移動範囲規制部としての後規制体１７７及び第１ビルプレス３５と、駆動部としてのフレーム駆動部１５１と、制御部としての紙幣制御部１１１とによって媒体取引装置としての現金自動預払機１０１を構成する場合について述べた。
【０２４７】
しかしながら本発明はこれに限らず、その他種々の構成でなる第１仕切部材と、第２仕切部材と、付勢部と、間隔規制部と、移動範囲規制部と、駆動部と、制御部とによって媒体取引装置を構成するようにしても良い。
【産業上の利用可能性】
【０２４８】
本発明は、紙葉状の媒体を収容する収容空間内を少なくとも２個の仕切部材により仕切り、且つその動作状態等に応じて各仕切部材の位置を移動させる種々の装置でも利用できる。
【符号の説明】
【０２４９】
１、１０１……現金自動預払機、９……主制御部、１０、１１０……紙幣入出金機、１１、１１１……紙幣制御部、１２、１１２、２１２……接客部、１３……搬送部、１４……認識部、３０、１３０、２３０……筐体、３２……シャッタ、３４……プールガイド、３５……第１ビルプレス、３６……ステージ、３６Ｔ……ステージ支持部、３７……第２ビルプレス、３７Ｔ……第２ビルプレス支持部、３８、１３８、２３８……連動部、３９……取込部、４０……放出部、４１……プールガイド駆動部、４６……第１ビルプレス駆動部、５１……第２ビルプレス駆動部、５６……シャフト、５７……スプリング、５８……ストッパ、１５１……フレーム駆動部、１７１……フレーム、１７１Ａ……下底部、１７１Ｂ……前端部、１７１Ｃ……後端部、１７２……シャフト、１７３……スプリング、１７７……後規制体、１８０……可動支持部、１８７……前規制体、２５１……連動駆動部、ＢＬ……紙幣、ＢＬＲ……入金リジェクト紙幣、Ｊ１、Ｊ２……連動最大長、ＳＣ……収容空間、ＳＣ１……第１収容空間、ＳＣ２……第２収容空間、ＳＬ１……第１空間長、ＳＬ２……第２空間長。
【図１】
2015087793.tif 000003
【図２】
2015087793.tif 000004
【図３】
2015087793.tif 000005
【図４】
2015087793.tif 000006
【図５】
2015087793.tif 000007
【図６】
2015087793.tif 000008
【図７】
2015087793.tif 000009
【図８】
2015087793.tif 000010
【図９】
2015087793.tif 000011
【図１０】
2015087793.tif 000012
【図１１】
2015087793.tif 000013
【図１２】
2015087793.tif 000014
【図１３】
2015087793.tif 000015
【図１４】
2015087793.tif 000016
【図１５】
2015087793.tif 000017
【図１６】
2015087793.tif 000018
【図１７】
2015087793.tif 000019
【図１８】
2015087793.tif 000020
【図１９】
2015087793.tif 000021
【図２０】
2015087793.tif 000022